【事件の表示】
　特許第２７０２３６５号「プレキャストコンクリート部材による建物の構築工法」の請求項１ないし３に係る特許に対する特許異議の申立てについて、次のとおり決定する。
【結　論】
　訂正を認める。
　特許第２７０２３６５号の請求項１及び２に係る特許を維持する。
【理　由】
一　手続きの経緯
　本件特許第２７０２３６５号発明は、平成４年１１月２４日に特許出願され、平成９年１０月３日にその特許の設定登録がなされ、その後、株式会社ピー・エス（外２名）より特許異議の申立てがなされ、次いで、取消理由通知がなされ、その指定期間内である平成１２年８月１４日に訂正請求がなされたものである。
　
二　訂正の適否についての判断
１　訂正請求の趣旨及び内容
　上記訂正請求の趣旨は、特許第２７０２３６５号の明細書（以下、「特許明細書」という。）を訂正請求書に添付した全文訂正明細書のとおり訂正することを求めることである。
　訂正の内容は以下のとおりである。
（ａ）訂正事項１
　特許請求の範囲の請求項１の、
「【請求項１】　梁受け用顎を突設したプレキャストコンクリート柱を適宜間隔をもって直線状に多数立設し、これらのプレキャストコンクリート柱間で且つ梁受け用顎に端部を載せて予めプレストレスが付与されたプレキャストコンクリート梁をそれぞれ架設し、各プレキャストコンクリート梁をその両端部寄りの一つの側面で緊張鋼材により緊張定着する建物の構築工法であって、１番目と２番目のコンクリート柱間に位置する１番目のプレキャストコンクリート梁は、一方の接合端部を１番目のプレキャストコンクリート柱と緊張鋼材を介して緊張定着すると共に、他方の接合端部は２番目のプレキャストコンクリート柱を介して隣接する２番目のプレキャストコンクリート梁内を挿通し跨ぐようにして３番目のプレキャストコンクリート柱及び３番目のプレキャストコンクリート梁の一方の接合端部と緊張鋼材を介して緊張定着させ、更に１番目のプレキャストコンクリート梁は、１番目のプレキャストコンクリート柱、２番目のプレキャストコンクリート柱及び２番目のプレキャストコンクリート梁の一方の接合端部と別の緊張鋼材を介して緊張定着し、以下２番目以降の中間部に位置するプレキャストコンクリート梁の両端部は、プレキャストコンクリート梁内を挿通し一つおきに跨ぐようにして配設緊張される緊張鋼材によってそれぞれ緊張定着され、前記１番目と対称位置にある端部のプレキャストコンクリート梁は、前記１番目のプレキャストコンクリート梁と対称構造で緊張定着されることを特徴とするプレキャストコンクリート部材による建物の構築工法。」との記載を、
「【請求項１】　梁受け用顎を突設したプレキャストコンクリート柱を適宜間隔をもって直線状に多数立設し、これらのプレキャストコンクリート柱間で且つ梁受け用顎に端部を載せて予めプレストレスが付与されたプレキャストコンクリート梁をそれぞれ架設し、各プレキャストコンクリート梁をその両端部寄りの一つの側面で緊張鋼材により緊張定着する建物の構築工法であって、１番目と２番目のコンクリート柱間に位置する１番目のプレキャストコンクリート梁は、一方の接合端部を１番目のプレキャストコンクリート柱と緊張鋼材を介して緊張定着すると共に、他方の接合端部は２番目のプレキャストコンクリート柱を介して隣接する２番目のプレキャストコンクリート梁内を挿通し跨ぐようにして３番目のプレキャストコンクリート柱及び３番目のプレキャストコンクリート梁の一方の接合端部に挿通した緊張鋼材を介して緊張定着させ、更に１番目のプレキャストコンクリート梁は、その内部と、１番目のプレキャストコンクリート柱、２番目のプレキャストコンクリート柱及び２番目のプレキャストコンクリート梁の一方の接合端部に挿通した別の緊張鋼材を介して緊張定着し、以下２番目以降の中間部に位置するプレキャストコンクリート梁は、プレキャストコンクリート梁内を挿通し一つおきに跨がって他方の接合端部から一方の接合端部に配設緊張される２本の緊張鋼材によってそれぞれ緊張定着され、前記１番目と対称位置にある端部のプレキャストコンクリート梁は、前記１番目のプレキャストコンクリート梁と対称構造で緊張定着されることを特徴とするプレキャストコンクリート部材による建物の構築工法。」と訂正し、
　同請求項２の、
「【請求項２】　梁受け用顎を突設したプレキャストコンクリート柱を適宜間隔をもって直線状に多数立設し、これらのプレキャストコンクリート柱間で且つ梁受け用顎に端部を載せて予めプレストレスが付与されたプレキャストコンクリート梁をそれぞれ架設し、各プレキャストコンクリート梁をその両端部寄りの一つの側面で緊張鋼材により緊張定着する建物の構築工法であって、各プレキャストコンクリート梁を緊張鋼材により緊張定着する建物の構築工法であって、１番目プレキャストコンクリート柱から複数のプレキャストコンクリート梁を介してｎ個目のプレキャストコンクリート梁の一方の接合端部にまで緊張鋼材を貫通してこれらを緊張定着した後、２番目のプレキャストコンクリート柱から複数のプレキャストコンクリート梁を介してｎ個目のプレキャストコンクリート梁の一方の接合端部にまで緊張鋼材を貫通してこれらを緊張定着し、以下３番目以降も同様に緊張鋼材を貫通させて緊張定着することを特徴とするプレキャストコンクリート部材による建物の構築工法。」との記載を
「【請求項２】　梁受け用顎を突設したプレキャストコンクリート柱を適宜間隔をもって直線状に多数立設し、これらのプレキャストコンクリート柱間で且つ梁受け用顎に端部を載せて予めプレストレスが付与されたプレキャストコンクリート梁をそれぞれ架設し、各プレキャストコンクリート梁をその両端部寄りの一つの側面で緊張鋼材により緊張定着する建物の構築工法であって、各プレキャストコンクリート梁を緊張鋼材により緊張定着するにあたって、１番目のプレキャストコンクリート柱から２番目と３番目のプレキャストコンクリート梁の一方の接合端部にまでそれぞれ緊張鋼材を貫通してこれらを緊張定着した後、１番目のプレキャストコンクリート梁の他方の接合端部から複数のプレキャストコンクリート梁を介して３個目のプレキャストコンクリート梁の一方の接合端部にまで緊張鋼材を貫通してこれらを緊張定着し、以下２番目以降のプレキャストコンクリート梁も他方の接合端部から同様に緊張鋼材を貫通させて緊張定着することを特徴とするプレキャストコンクリート部材による建物の構築工法。」と訂正する。
　又、同請求項３を削除する。
（ｂ）訂正事項２
　特許明細書段落【０００６】の記載を、
「【課題を解決するための手段】
　以上の課題を達成するための本発明のプレキャストコンクリート部材による建物の構築工法は、請求項１の発明が、梁受け用顎を突設したプレキャストコンクリート柱を適宜間隔をもって直線状に多数立設し、これらのプレキャストコンクリート柱間で且つ梁受け用顎に端部を載せて予めプレストレスが付与されたプレキャストコンクリート梁をそれぞれ架設し、各プレキャストコンクリート梁をその両端部寄りの一つの側面で緊張鋼材により緊張定着する建物の構築工法であって、１番目と２番目のコンクリート柱間に位置する１番目のプレキャストコンクリート梁は、一方の接合端部を１番目のプレキャストコンクリート柱と緊張鋼材を介して緊張定着すると共に、他方の接合端部は２番目のプレキャストコンクリート柱を介して隣接する２番目のプレキャストコンクリート梁内を挿通し跨ぐようにして３番目のプレキャストコンクリート柱及び３番目のプレキャストコンクリート梁の一方の接合端部に挿通した緊張鋼材を介して緊張定着させ、更に１番目のプレキャストコンクリート梁は、その内部と、１番目のプレキャストコンクリート柱、２番目のプレキャストコンクリート柱及び２番目のプレキャストコンクリート梁の一方の接合端部に挿通した別の緊張鋼材を介して緊張定着し、以下２番目以降の中間部に位置するプレキャストコンクリート梁は、プレキャストコンクリート梁内を挿通し一つおきに跨がって他方の接合端部から一方の接合端部に配設緊張される２本の緊張鋼材によってそれぞれ緊張定着され、前記１番目と対称位置にある端部のプレキャストコンクリート梁は、前記１番目のプレキャストコンクリート梁と対称構造で緊張定着されることを特徴とする構成とし、
　請求項２の発明が、梁受け用顎を突設したプレキャストコンクリート柱を適宜間隔をもって直線状に多数立設し、これらのプレキャストコンクリート柱間で且つ梁受け用顎に端部を載せて予めプレストレスが付与されたプレキャストコンクリート梁をそれぞれ架設し、各プレキャストコンクリート梁をその両端部寄りの一つの側面で緊張鋼材により緊張定着する建物の構築工法であって、各プレキャストコンクリート梁を緊張鋼材により緊張定着するにあたって、１番目のプレキャストコンクリート柱から２番目と３番目のプレキャストコンクリート梁の一方の接合端部にまでそれぞれ緊張鋼材を貫通してこれらを緊張定着した後、１番目のプレキャストコンクリート梁の他方の接合端部から複数のプレキャストコンクリート梁を介して３個目のプレキャストコンクリート梁の一方の接合端部にまで緊張鋼材を貫通してこれらを緊張定着し、以下２番目以降のプレキャストコンクリート梁も他方の接合端部から同様に緊張鋼材を貫通させて緊張定着することを特徴とする構成とすることである。」と訂正する。
（ｃ）訂正事項３
　同段落【００１５】の「他方の接合端部は２番目の柱１を介して隣接する２番目のプレキャストコンクリート梁３内を挿通し跨ぐようにして３番目の柱１及び３番目のプレキャストコンクリート梁の一方の接合端部と緊張鋼材８を介して緊張定着させ、更に１番目のプレキャストコンクリート梁２の接合端部は、１番目及び２番目の柱と２番目のプレキャストコンクリート梁３の一方の接合端部と緊張鋼材８を介して緊張定着する。以下２番目以降の中間部に位置するプレキャストコンクリート梁３……の一方及び他方の接合端部は、プレキャストコンクリート梁内を挿通し一つおきに跨ぐようにして配設緊張される各緊張鋼材８によってそれぞれ緊張定着され、・・・この場合に、緊張鋼材８の」との記載を、「他方の接合端部は２番目の柱１を介して隣接する２番目のプレキャストコンクリート梁３内を挿通し３番目の柱１及び３番目のプレキャストコンクリート梁の一方の接合端部まで跨って挿通した緊張鋼材８を介して緊張定着させ、更に１番目のプレキャストコンクリート梁２は、その内部と、１番目及び２番目の柱と２番目のプレキャストコンクリート梁３の一方の接合端部とに跨って挿通した緊張鋼材８を介して緊張定着する。以下２番目以降の中間部に位置するプレキャストコンクリート梁３……の一方及び他方の接合端部は、両側の柱とプレキャストコンクリート梁内を挿通し一つおきに跨って配設緊張される２本の各緊張鋼材８によってそれぞれ緊張定着され、・・・この場合に、各緊張鋼材８の」と訂正し、
　同段落【００１６】の「次に、図９により第２発明の実施例について説明する。」との記載を、「次に、図９〜図１３により第２発明の実施例について説明する。」と訂正する。
（ｄ）訂正事項４
　同段落【００２５】の「最端部の目字モルタル」との記載を、「最端部の目地モルタル」と訂正する。
２　訂正の目的の適否、及び新規事項・拡張・変更の存否
　上記訂正事項１は、請求項１及び２に記載の「緊張鋼材」の挿通状態に関する構成を限定したものであり、又請求項３を削除したものであるから、特許請求の範囲の減縮に該当し、且つ請求項２に記載の「建物の構築工法であって、・・・建物の構築工法であって、」を「建物の構築工法であって、・・・にあたって、」と訂正したことは、明りょうでない記載の釈明に該当し、又請求項２に記載の「２番目のプレキャストコンクリート柱から」を「１番目のプレキャストコンクリート梁の他方の接合端部から」と訂正したことは、誤記の訂正に該当し、
　上記訂正事項２は、上記訂正事項１による特許請求の範囲の減縮に伴い生じる、特許請求の範囲の記載と発明の詳細な説明の記載との不整合を回避するために行う、明りょうでない記載の釈明に該当し、
　上記訂正事項３は、明りょうでない記載の釈明に該当し、
　上記訂正事項４は、誤記の訂正に該当するものということができる。
　そして、上記訂正により請求項１に追加された事項の、「以下２番目以降の中間部に位置するプレキャストコンクリート梁の両端部は、プレキャストコンクリート梁内を挿通し一つおきに跨がって他方の接合端部から一方の接合端部に配設緊張される２本の緊張鋼材によってそれぞれ緊張定着され、」は、特許明細書段落【００１５】及び図８（３）に、又同請求項２に追加された事項の、「１番目のプレキャストコンクリート柱から２番目と３番目のプレキャストコンクリート梁の一方の接合端部にまでそれぞれ緊張鋼材を貫通してこれらを緊張定着した後、１番目のプレキャストコンクリート梁の他方の接合端部から複数のプレキャストコンクリート梁を介して３個目のプレキャストコンクリート梁の一方の接合端部にまで緊張鋼材を貫通してこれらを緊張定着し、」は、同段落【００１６】〜【００２１】及び図９〜１３にそれぞれ記載されたものであるから、訂正事項１〜４で訂正した事項は、願書に添付した明細書及び図面に記載された事項の範囲内の訂正であり、また、実質的に特許請求の範囲を拡張又は変更するものではない。
３　独立特許要件の判断
（１）訂正後の発明
　訂正後の請求項１及び２に係る発明は、上記訂正請求により提出された全文訂正明細書（以下、「訂正明細書」という。）の特許請求の範囲の請求項１及び２に記載された上記のとおりのもの（上記「１（ａ）」の項を参照。）と認められる。
（２）刊行物記載の発明
（刊行物１）
　当審が通知した取消理由で引用した、本件特許発明の出願前に頒布された刊行物１（「プレストレストコンクリート　第３４巻第３号　平成４年５，６月号」、社団法人プレストレストコンクリート技術協会発行、第８〜２０頁。特許異議申立人が提出した甲第１号証。）には、第９頁左欄第２７〜２９行、第９頁左欄第３６〜３７行及び第１５頁右欄第６行〜第１６頁左欄下から３行の記載、並びに図−７、図−８及び図−１４の記載からみて、次の発明が記載されているものと認められる。
「ブラケットを突設したプレキャストコンクリート柱を適宜間隔をもって直線状に多数立設し、これらのプレキャストコンクリート柱間で且つブラケットに端部を載せて予めプレストレスが付与されたプレキャストコンクリート梁をそれぞれ架設し、各プレキャストコンクリート梁をその両端部寄りの一つの側面で緊張鋼材により緊張定着する建物の構築工法であって、１番目と２番目のコンクリート柱間に位置する１番目のプレキャストコンクリート梁は、一方の接合端部を１番目のプレキャストコンクリート柱と緊張鋼材（１）を介して緊張定着すると共に、他方の接合端部は２番目のプレキャストコンクリート柱を介して隣接する２番目のプレキャストコンクリート梁内を挿通した緊張鋼材（４）を介して緊張定着させ、又１番目のプレキャストコンクリート梁は、その内部と、１番目のプレキャストコンクリート柱、２番目のプレキャストコンクリート柱及び２番目のプレキャストコンクリート梁の一方の接合端部に挿通した別の緊張鋼材（３）を介して緊張定着し、更に１番目のプレキャストコンクリート梁は、その内部と、１番目のプレキャストコンクリート柱、２番目のプレキャストコンクリート柱及び２番目のプレキャストコンクリート梁内に挿通した更に別の緊張鋼材（２）を介して緊張定着した、プレキャストコンクリート部材による建物の構築工法。」（尚、刊行物１の原文においては、「（１）」、「（２）」、「（３）」及び「（４」は、丸数字の１、２、３及び４でそれぞれ記載されている。）
（刊行物２）
　当審が通知した取消理由で引用した、本件特許発明の出願前に頒布された刊行物２（「セメント・コンクリート　Ｎｏ．４５０　１９８４年８月号」、昭和５９年８月１日、社団法人セメント協会発行、第３７〜４５頁。同甲第２号証。）には、第３７頁右欄第２〜１０行、第３８頁左欄第１７行〜右欄第１４行の記載、並びに図１〜図３及び図６の記載からみて、次の発明が記載されているものと認められる。
「プレキャストコンクリート柱を適宜間隔をもって直線状に多数立設し、これらのプレキャストコンクリート柱間でプレキャストコンクリート梁をそれぞれ架設し、各プレキャストコンクリート梁をその両端部寄りの一つの側面で緊張鋼材により緊張定着する建物の構築工法。」
（３）対比・判断
（本件訂正発明１について）
　本件訂正後の請求項１に係る発明（以下、「本件訂正発明１」という。）と刊行物１に記載の発明とを対比すると、両者は、以下の点で相違し、その余の点で実質的に一致している。
〈相違点〉
　本件訂正発明１が、（１番目のプレキャストコンクリート梁の）他方の接合端部は２番目のプレキャストコンクリート柱を介して隣接する２番目のプレキャストコンクリート梁内を挿通し跨ぐようにして３番目のプレキャストコンクリート柱及び３番目のプレキャストコンクリート梁の一方の接合端部と緊張鋼材を介して緊張定着させ、以下２番目以降の中間部に位置するプレキャストコンクリート梁の両端部は、プレキャストコンクリート梁内を挿通し一つおきに跨ぐようにして配設緊張される緊張鋼材によってそれぞれ緊張定着され、前記１番目と対称位置にある端部のプレキャストコンクリート梁は、前記１番目のプレキャストコンクリート梁と対称構造で緊張定着される構成を有しているのに対し、刊行物１に記載の発明は、１番目のプレキャストコンクリート梁の他方の接合端部は２番目のプレキャストコンクリート柱を介して隣接する２番目のプレキャストコンクリート梁内を挿通した緊張鋼材（４）によって緊張定着されているとともに、１番目のプレキャストコンクリート梁は、その内部と、１番目のプレキャストコンクリート柱、２番目のプレキャストコンクリート柱及び２番目のプレキャストコンクリート梁内に挿通した別の緊張鋼材（２）によっても緊張定着された構成を有し、さらに２番目以降の中間部に位置するプレキャストコンクリート梁、及び１番目と対称位置にある端部のプレキャストコンクリート梁の緊張鋼材による緊張定着の構成が不明である点。
　上記相違点について検討するに、刊行物１の図−１４では、２番目の梁の途中から右側については、その構成が示されておらず、図−７及び図−８を参照してもその構成は不明である。そうすると、刊行物１の緊張鋼材（４）は、３番目のプレキャストコンクリート柱及び３番目のプレキャストコンクリート梁の一方の接合端部と緊張定着するかどうか不明であり、刊行物１に記載の発明には、本件訂正発明１の（１番目のプレキャストコンクリート梁の）他方の接合端部は２番目のプレキャストコンクリート柱を介して隣接する２番目のプレキャストコンクリート梁内を挿通し跨ぐようにして３番目のプレキャストコンクリート柱及び３番目のプレキャストコンクリート梁の一方の接合端部と緊張鋼材を介して緊張定着させる構成があるとはいえない。又、２番目以降の中間部に位置するプレキャストコンクリート梁、及び１番目と対称位置にある端部のプレキャストコンクリート梁の緊張鋼材による緊張定着の構成も不明である。更に、刊行物１に記載の発明は、本件訂正発明１には存在しないところの別の緊張鋼材（２）を有するものであり、この点でも本件訂正発明１と異なる。
　又、刊行物２には、本件訂正発明１の上記相違点に係る構成が記載されておらず、示唆するところもない。
　そして、本件訂正発明１は、上記相違点に係る構成を有することにより、訂正明細書に記載の格別顕著な効果を奏するものである。
　したがって、本件訂正発明１は、上記刊行物１及び２に記載された発明に基いて、当業者が容易に発明をすることができたものとはいえない。
　次に、取消理由通知で指摘した記載不備について検討するに、訂正請求により、特許請求の範囲の請求項１に記載の発明（本件訂正発明１）と「発明の詳細な説明」欄に記載の実施例とは整合性を有するものとなり、明細書の記載に不備はないものと認められる。尚、本件訂正発明１は、図８（３）に示される実施例に対応するものである。
　又、他に本件訂正発明１が独立して特許を受けることができない理由を発見しない。
　よって、本件訂正発明１は特許出願の際独立して特許を受けることができる発明ということができる。
（本件訂正発明２について）
　本件訂正後の請求項２に係る発明（以下、「本件訂正発明２」という。）と刊行物１に記載の発明とを対比すると、両者は、以下の点で相違し、その余の点で実質的に一致している。
〈相違点〉
　本件訂正発明２が、「１番目のプレキャストコンクリート柱から３番目のプレキャストコンクリート梁の一方の接合端部にまで緊張鋼材を貫通して緊張定着した後、１番目のプレキャストコンクリート梁の他方の接合端部から複数のプレキャストコンクリート梁を介して３個目のプレキャストコンクリート梁の一方の接合端部にまで緊張鋼材を貫通してこれらを緊張定着し、以下２番目以降のプレキャストコンクリート梁も他方の接合端部から同様に緊張鋼材を貫通させて緊張定着する」構成を有しているのに対し、刊行物１に記載の発明は、１番目のプレキャストコンクリート梁の他方の接合端部は２番目のプレキャストコンクリート柱を介して隣接する２番目のプレキャストコンクリート梁内を挿通した緊張鋼材（４）によって緊張定着され、１番目のプレキャストコンクリート梁は、その内部と、１番目のプレキャストコンクリート柱、２番目のプレキャストコンクリート柱及び２番目のプレキャストコンクリート梁内に挿通した別の緊張鋼材（２）によっても緊張定着された構成を有し、又１番目のプレキャストコンクリート柱から３番目のプレキャストコンクリート梁の一方の接合端部にまで緊張定着した緊張鋼材は有しておらず、２番目以降の中間部に位置するプレキャストコンクリート梁の緊張鋼材による緊張定着の構成が不明である点。
　上記相違点について検討するに、刊行物１の図−１４では、２番目の梁の途中から右側については、その構成が示されておらず、図−７及び図−８を参照してもその構成は不明である。そうすると、刊行物１の緊張鋼材（４）は、複数のプレキャストコンクリート梁を介して３個目のプレキャストコンクリート梁の一方の接合端部に緊張定着するかどうか不明であり、刊行物１に記載の発明には、本件訂正発明２の「１番目のプレキャストコンクリート梁の他方の接合端部から複数のプレキャストコンクリート梁を介して３個目のプレキャストコンクリート梁の一方の接合端部にまで緊張鋼材を貫通してこれらを緊張定着」する構成があるとはいえない。又、２番目以降の中間部に位置するプレキャストコンクリート梁の緊張鋼材による緊張定着の構成も不明である。更に、刊行物１に記載の発明は、本件訂正発明２には存在しないところの別の緊張鋼材（２）を有するものであり、この点でも本件訂正発明２と異なる。
　又、刊行物２には、本件訂正発明２の上記相違点に係る構成が記載されておらず、示唆するところもない。
　そして、本件訂正発明２は、上記相違点に係る構成を有することにより、訂正明細書に記載の格別顕著な効果を奏するものである。
　したがって、本件訂正発明２は、上記刊行物１及び２に記載された発明に基いて、当業者が容易に発明をすることができたものとはいえない。
　次に、取消理由通知で指摘した記載不備について検討するに、訂正請求により、特許請求の範囲の請求項２に記載の発明（本件訂正発明２）と「発明の詳細な説明」欄に記載の実施例とは整合性を有するものなり、明細書の記載に不備はないものと認められる。尚、本件訂正発明２は、図９〜１３に示される実施例に対応するものである。
　又、他に本件訂正発明２が独立して特許を受けることができない理由を発見しない。
　よって、本件訂正発明２は特許出願の際独立して特許を受けることができる発明ということができる。
４　むすび
　以上のとおりであるから、上記訂正請求は、特許法等の一部を改正する法律（平成６年法律第１１６号）附則第６条第１項の規定によりなお従前の例によるとされる特許法第１２０条の４第２項及び同条第３項で準用する第１２６条第２〜４項の規定に適合するので、当該訂正を認める。
　
三　特許異議の申立てについての判断
１　本件訂正発明
　本件訂正発明１及び２は、訂正明細書の特許請求の範囲の請求項１及び２に記載された上記のとおりのもの（上記「二１（ａ）」の項を参照。）と認められる。
２　異議申立ての理由の概要
　特許異議申立人の株式会社ピー・エス（外２名）は、以下の理由により、本件発明の特許を取り消すべき旨を主張している。
（イ）特許明細書の特許請求の範囲の請求項１〜３に係る発明は、本件特許発明の出願前に頒布された甲第１号証（上記刊行物１）及び甲第２号証（上記刊行物２）に記載された発明に基いて当業者が容易に発明をすることができたものであるから、特許法第２９条第２項の規定により特許を受けることができないものである。
（ロ）同請求項２〜３に係る発明は、甲第２号証、甲第３号証（「糸満市西崎球場建設工事　実施設計図」）及び証人によって立証される、本件特許発明の出願前に日本国内において公然実施された発明であるから、特許法第２９条第１項第２号の規定により特許を受けることができないものである。
（ハ）同請求項１〜３に係る発明は、特許請求の範囲の請求項１〜３に記載の発明と「発明の詳細な説明」欄に記載の実施例とが異なっており、明細書の記載に不備があるから、特許法第３６条第４項及び第５項の規定により特許を受けることができないものである。
３　甲号証記載の発明
　甲第１号証（刊行物１）及び甲第２号証（刊行物２）には、上記「二３（２）」の項にそれぞれ示された発明が記載されているものと認められる。
　又、甲第３号証には、甲第２号証（刊行物２）に記載の工事である「糸満市西崎球場建設工事」と同じ工事に関する実施設計図が示されており、甲第２号証に記載の発明と同様の発明が記載されているものと認められる。
４　当審の判断
（１）異議申立人の主張（イ）について
　特許異議申立人の特許法第２９条第２項に関する上記主張（イ）については、上記「二３（３）」の項で検討したように、本件訂正発明１及び２は、上記甲第１号証（刊行物１）及び甲第２号証（刊行物２）に記載された発明に基いて、当業者が容易に発明をすることができたものとはいえない。
（２）異議申立人の主張（ロ）について
　本件訂正発明２と、甲第２号証（刊行物２）及び甲第３号証に記載の各発明とを対比すると、甲第２号証及び甲第３号証には、本件訂正発明２の構成要件である「１番目のプレキャストコンクリート柱から２番目と３番目のプレキャストコンクリート梁の一方の接合端部にまでそれぞれ緊張鋼材を貫通してこれらを緊張定着した後、１番目のプレキャストコンクリート梁の他方の接合端部から複数のプレキャストコンクリート梁を介して３個目のプレキャストコンクリート梁の一方の接合端部にまで緊張鋼材を貫通してこれらを緊張定着し、以下２番目以降のプレキャストコンクリート梁も他方の接合端部から同様に緊張鋼材を貫通させて緊張定着すること」が、記載されておらず、示唆するところもない。尚、甲第２号証の図６及び甲第３号証において、３番目のプレキャストコンクリート梁の一方（図面左側）の接合端部に緊張定着された緊張鋼材は、１番目のプレキャストコンクリート柱に緊張定着されているのか、２番目のプレキャストコンクリート梁の他方（図面右側）の接合端部に緊張定着されているのか明確でない。
　したがって、本件訂正発明２は、甲第２号証又は甲第３号証に記載された発明であるとはいえず、又、甲第２号証及び甲第３号証に記載された発明に基いて当業者が容易に発明をすることができたものともいえない。
　そうすると、甲第３号証の実施設計図に記載の工事が、公然に実施されたことが、証人尋問により立証されたとしても、甲第２号証の記載及び甲第３号証の実施設計図の内容からみて、本件訂正発明２がその出願前に日本国内において公然実施された発明であるとはいえないから、証人尋問は行わないこととする。
（３）異議申立人の主張（ハ）について
　特許異議申立人の特許法第３６条第４項及び第５項に関する上記主張（ハ）については、上記「二３（３）」の項で検討したように、明細書の記載に不備はない。
　
四　むすび
　以上のとおりであるから、特許異議申立人の主張する理由及び提出した証拠方法によっては、本件訂正発明１及び２の特許を取り消すことはできない。
　また、他に上記本件訂正発明１及び２の特許を取り消すべき理由を発見しない。
　よって、結論のとおり決定する。
【異議決定日】
平成１２年９月２９日（２０００．９．２９）
【訂正の要旨】
（訂正の要旨）
１．訂正事項１
　特許請求の範囲の減縮を目的として、
　特許請求の範囲の請求項１の、
「【請求項１】　梁受け用顎を突設したプレキャストコンクリート柱を適宜間隔をもって直線状に多数立設し、これらのプレキャストコンクリート柱間で且つ梁受け用顎に端部を載せて予めプレストレスが付与されたプレキャストコンクリート梁をそれぞれ架設し、各プレキャストコンクリート梁をその両端部寄りの一つの側面で緊張鋼材により緊張定着する建物の構築工法であって、１番目と２番目のコンクリート柱間に位置する１番目のプレキャストコンクリート梁は、一方の接合端部を１番目のプレキャストコンクリート柱と緊張鋼材を介して緊張定着すると共に、他方の接合端部は２番目のプレキャストコンクリート柱を介して隣接する２番目のプレキャストコンクリート梁内を挿通し跨ぐようにして３番目のプレキャストコンクリート柱及び３番目のプレキャストコンクリート梁の一方の接合端部と緊張鋼材を介して緊張定着させ、更に１番目のプレキャストコンクリート梁は、１番目のプレキャストコンクリート柱、２番目のプレキャストコンクリート柱及び２番目のプレキャストコンクリート梁の一方の接合端部と別の緊張鋼材を介して緊張定着し、以下２番目以降の中間部に位置するプレキャストコンクリート梁の両端部は、プレキャストコンクリート梁内を挿通し一つおきに跨ぐようにして配設緊張される緊張鋼材によってそれぞれ緊張定着され、前記１番目と対称位置にある端部のプレキャストコンクリート梁は、前記１番目のプレキャストコンクリート梁と対称構造で緊張定着されることを特徴とするプレキャストコンクリート部材による建物の構築工法。」との記載を、
「【請求項１】　梁受け用顎を突設したプレキャストコンクリート柱を適宜間隔をもって直線状に多数立設し、これらのプレキャストコンクリート柱間で且つ梁受け用顎に端部を載せて予めプレストレスが付与されたプレキャストコンクリート梁をそれぞれ架設し、各プレキャストコンクリート梁をその両端部寄りの一つの側面で緊張鋼材により緊張定着する建物の構築工法であって、１番目と２番目のコンクリート柱間に位置する１番目のプレキャストコンクリート梁は、一方の接合端部を１番目のプレキャストコンクリート柱と緊張鋼材を介して緊張定着すると共に、他方の接合端部は２番目のプレキャストコンクリート柱を介して隣接する２番目のプレキャストコンクリート梁内を挿通し跨ぐようにして３番目のプレキャストコンクリート柱及び３番目のプレキャストコンクリート梁の一方の接合端部に挿通した緊張鋼材を介して緊張定着させ、更に１番目のプレキャストコンクリート梁は、その内部と、１番目のプレキャストコンクリート柱、２番目のプレキャストコンクリート柱及び２番目のプレキャストコンクリート梁の一方の接合端部に挿通した別の緊張鋼材を介して緊張定着し、以下２番目以降の中間部に位置するプレキャストコンクリート梁は、プレキャストコンクリート梁内を挿通し一つおきに跨がって他方の接合端部から一方の接合端部に配設緊張される２本の緊張鋼材によってそれぞれ緊張定着され、前記１番目と対称位置にある端部のプレキャストコンクリート梁は、前記１番目のプレキャストコンクリート梁と対称構造で緊張定着されることを特徴とするプレキャストコンクリート部材による建物の構築工法。」と訂正し、
　同請求項２の、
「【請求項２】　梁受け用顎を突設したプレキャストコンクリート柱を適宜間隔をもって直線状に多数立設し、これらのプレキャストコンクリート柱間で且つ梁受け用顎に端部を載せて予めプレストレスが付与されたプレキャストコンクリート梁をそれぞれ架設し、各プレキャストコンクリート梁をその両端部寄りの一つの側面で緊張鋼材により緊張定着する建物の構築工法であって、各プレキャストコンクリート梁を緊張鋼材により緊張定着する建物の構築工法であって、１番目プレキャストコンクリート柱から複数のプレキャストコンクリート梁を介してｎ個目のプレキャストコンクリート梁の一方の接合端部にまで緊張鋼材を貫通してこれらを緊張定着した後、２番目のプレキャストコンクリート柱から複数のプレキャストコンクリート梁を介してｎ個目のプレキャストコンクリート梁の一方の接合端部にまで緊張鋼材を貫通してこれらを緊張定着し、以下３番目以降も同様に緊張鋼材を貫通させて緊張定着することを特徴とするプレキャストコンクリート部材による建物の構築工法。」との記載を
「【請求項２】　梁受け用顎を突設したプレキャストコンクリート柱を適宜間隔をもって直線状に多数立設し、これらのプレキャストコンクリート柱間で且つ梁受け用顎に端部を載せて予めプレストレスが付与されたプレキャストコンクリート梁をそれぞれ架設し、各プレキャストコンクリート梁をその両端部寄りの一つの側面で緊張鋼材により緊張定着する建物の構築工法であって、各プレキャストコンクリート梁を緊張鋼材により緊張定着するにあたって、１番目のプレキャストコンクリート柱から２番目と３番目のプレキャストコンクリート梁の一方の接合端部にまでそれぞれ緊張鋼材を貫通してこれらを緊張定着した後、１番目のプレキャストコンクリート梁の他方の接合端部から複数のプレキャストコンクリート梁を介して３個目のプレキャストコンクリート梁の一方の接合端部にまで緊張鋼材を貫通してこれらを緊張定着し、以下２番目以降のプレキャストコンクリート梁も他方の接合端部から同様に緊張鋼材を貫通させて緊張定着することを特徴とするプレキャストコンクリート部材による建物の構築工法。」と訂正する。
　又、同請求項３を削除する。
２．訂正事項２
　上記訂正事項１による特許請求の範囲の減縮に伴い生じる、特許請求の範囲の記載と発明の詳細な説明の記載との不整合を回避するために、明りょうでない記載の釈明を目的として、
　特許明細書段落【０００６】の記載を、
「【課題を解決するための手段】
　以上の課題を達成するための本発明のプレキャストコンクリート部材による建物の構築工法は、請求項１の発明が、梁受け用顎を突設したプレキャストコンクリート柱を適宜間隔をもって直線状に多数立設し、これらのプレキャストコンクリート柱間で且つ梁受け用顎に端部を載せて予めプレストレスが付与されたプレキャストコンクリート梁をそれぞれ架設し、各プレキャストコンクリート梁をその両端部寄りの一つの側面で緊張鋼材により緊張定着する建物の構築工法であって、１番目と２番目のコンクリート柱間に位置する１番目のプレキャストコンクリート梁は、一方の接合端部を１番目のプレキャストコンクリート柱と緊張鋼材を介して緊張定着すると共に、他方の接合端部は２番目のプレキャストコンクリート柱を介して隣接する２番目のプレキャストコンクリート梁内を挿通し跨ぐようにして３番目のプレキャストコンクリート柱及び３番目のプレキャストコンクリート梁の一方の接合端部に挿通した緊張鋼材を介して緊張定着させ、更に１番目のプレキャストコンクリート梁は、その内部と、１番目のプレキャストコンクリート柱、２番目のプレキャストコンクリート柱及び２番目のプレキャストコンクリート梁の一方の接合端部に挿通した別の緊張鋼材を介して緊張定着し、以下２番目以降の中間部に位置するプレキャストコンクリート梁は、プレキャストコンクリート梁内を挿通し一つおきに跨がって他方の接合端部から一方の接合端部に配設緊張される２本の緊張鋼材によってそれぞれ緊張定着され、前記１番目と対称位置にある端部のプレキャストコンクリート梁は、前記１番目のプレキャストコンクリート梁と対称構造で緊張定着されることを特徴とする構成とし、
　請求項２の発明が、梁受け用顎を突設したプレキャストコンクリート柱を適宜間隔をもって直線状に多数立設し、これらのプレキャストコンクリート柱間で且つ梁受け用顎に端部を載せて予めプレストレスが付与されたプレキャストコンクリート梁をそれぞれ架設し、各プレキャストコンクリート梁をその両端部寄りの一つの側面で緊張鋼材により緊張定着する建物の構築工法であって、各プレキャストコンクリート梁を緊張鋼材により緊張定着するにあたって、１番目のプレキャストコンクリート柱から２番目と３番目のプレキャストコンクリート梁の一方の接合端部にまでそれぞれ緊張鋼材を貫通してこれらを緊張定着した後、１番目のプレキャストコンクリート梁の他方の接合端部から複数のプレキャストコンクリート梁を介して３個目のプレキャストコンクリート梁の一方の接合端部にまで緊張鋼材を貫通してこれらを緊張定着し、以下２番目以降のプレキャストコンクリート梁も他方の接合端部から同様に緊張鋼材を貫通させて緊張定着することを特徴とする構成とすることである。」と訂正する。
３．訂正事項３
　明りょうでない記載の釈明を目的として、
　同段落【００１５】の「他方の接合端部は２番目の柱１を介して隣接する２番目のプレキャストコンクリート梁３内を挿通し跨ぐようにして３番目の柱１及び３番目のプレキャストコンクリート梁の一方の接合端部と緊張鋼材８を介して緊張定着させ、更に１番目のプレキャストコンクリート梁２の接合端部は、１番目及び２番目の柱と２番目のプレキャストコンクリート梁３の一方の接合端部と緊張鋼材８を介して緊張定着する。以下２番目以降の中間部に位置するプレキャストコンクリート梁３……の一方及び他方の接合端部は、プレキャストコンクリート梁内を挿通し一つおきに跨ぐようにして配設緊張される各緊張鋼材８によってそれぞれ緊張定着され、・・・この場合に、緊張鋼材８の」との記載を、「他方の接合端部は２番目の柱１を介して隣接する２番目のプレキャストコンクリート梁３内を挿通し３番目の柱１及び３番目のプレキャストコンクリート梁の一方の接合端部まで跨って挿通した緊張鋼材８を介して緊張定着させ、更に１番目のプレキャストコンクリート梁２は、その内部と、１番目及び２番目の柱と２番目のプレキャストコンクリート梁３の一方の接合端部とに跨って挿通した緊張鋼材８を介して緊張定着する。以下２番目以降の中間部に位置するプレキャストコンクリート梁３……の一方及び他方の接合端部は、両側の柱とプレキャストコンクリート梁内を挿通し一つおきに跨って配設緊張される２本の各緊張鋼材８によってそれぞれ緊張定着され、・・・この場合に、各緊張鋼材８の」と訂正し、
　又、同段落【００１６】の「次に、図９により第２発明の実施例について説明する。」との記載を、「次に、図９〜図１３により第２発明の実施例について説明する。」と訂正する。
４．訂正事項４
　誤記の訂正を目的として、
　同段落【００２５】の「最端部の目字モルタル」との記載を、「最端部の目地モルタル」と訂正する。
（５４）【発明の名称】
プレキャストコンクリート部材による建物の構築工法
（５７）【特許請求の範囲】
　　【請求項１】　梁受け用顎を突設したプレキャストコンクリート柱を適宜間隔をもって直線状に多数立設し、これらのプレキャストコンクリート柱間で且つ梁受け用顎に端部を載せて予めプレストレスが付与されたプレキャストコンクリート梁をそれぞれ架設し、各プレキャストコンクリート梁をその両端部寄りの一つの側面で緊張鋼材により緊張定着する建物の構築工法であって、１番目と２番目のコンクリート柱間に位置する１番目のプレキャストコンクリート梁は、一方の接合端部を１番目のプレキャストコンクリート柱と緊張鋼材を介して緊張定着すると共に、他方の接合端部は２番目のプレキャストコンクリート柱を介して隣接する２番目のプレキャストコンクリート梁内を挿通し跨ぐようにして３番目のプレキャストコンクリート柱及び３番目のプレキャストコンクリート梁の一方の接合端部に挿通した緊張鋼材を介して緊張定着させ、更に１番目のプレキャストコンクリート梁は、
その内部と、
挿通した
は
跨がって他方の接合端部から一方の接合端部に配設緊張される２本の
　　　【請求項２】　梁受け用顎を突設したプレキャストコンクリート柱を適宜間隔をもって直線状に多数立設し、これらのプレキャストコンクリート柱間で且つ梁受け用顎に端部を載せて予めプレストレスが付与されたプレキャストコンクリート梁をそれぞれ架設し、各プレキャストコンクリート梁をその両端部寄りの一つの側面で緊張鋼材により緊張定着する建物の構築工法であって、各プレキャストコンクリート梁を緊張鋼材により緊張定着するに
あたって、
の
２番目と３番目の
それぞれ
１
梁の他方の接合端部
３
２
のプレキャストコンクリート梁
他方の接合端部から
【発明の詳細な説明】
　　　【０００１】
　　【産業上の利用分野】
　本発明はプレキャストコンクリート部材による建物の構築工法に関するものである。
　　　【０００２】
　　【従来の技術】
　一般に、プレキャストコンクリート部材による多スパンの建物の構築は、図１５に示すように、梁受け用顎２０を備えたプレキャストコンクリート柱３０を適宜間隔ごとに立設し、これらの柱３０間に順次プレキャストコンクリート梁４０を架設し、その接合部間に目地モルタルを充填した後、これらの柱３０と梁４０とを連続ＰＣ鋼線５０により一体接合して構築していた。
　　　【０００３】
　　【発明が解決しようとする課題】
　しかし、上記のように柱と梁とを連続ＰＣ鋼線で一体接合して建物を構築する方法は、最初の柱から最後の柱まで一気にプレストレスを導入するため、プレストレス導入の摩擦損失量及び軸変形による不静定２次応力が大きくなって両側の柱の設計が難しくなって、せいぜい３〜４スパンの建物が限度となり、これ以上の多スパンの建物の構築は困難であった。
　　　【０００４】
　さらに、この方法は最後のスパンにおける梁の目地モルタルが硬化しなければ緊張できずにプレストレス導入までの長期間にわたって柱及び梁が片持ち梁の単純支持状態となるため、風力や地震力に対して不安定であり安全性に欠けるという問題があった。
　　　【０００５】
　本発明は上記のような問題に鑑みてなされたものであり、その目的は、プレストレス導入における不静定２次応力を小さくすることにより多スパンの建物の構築を可能とし、工期の短縮を図ると共に、施工中における風力等の水平力に対しての安全性を高めることである。
　　　【０００６】
　　【課題を解決するための手段】
　以上の課題を達成するための本発明のプレキャストコンクリート部材による建物の構築工法は、請求項１の発明が、梁受け用顎を突設したプレキャストコンクリート柱を適宜間隔をもって直線状に多数立設し、これらのプレキャストコンクリート柱間で且つ梁受け用顎に端部を載せて予めプレストレスが付与されたプレキャストコンクリート梁をそれぞれ架設し、各プレキャストコンクリート梁をその両端部寄りの一つの側面で緊張鋼材により緊張定着する建物の構築工法であって、１番目と２番目のコンクリート柱間に位置する１番目のプレキャストコンクリート梁は、一方の接合端部を１番目のプレキャストコンクリート柱と緊張鋼材を介して緊張定着すると共に、他方の接合端部は２番目のプレキャストコンクリート柱を介して隣接する２番目のプレキャストコンクリート梁内を挿通し跨ぐようにして３番目のプレキャストコンクリート柱及び３番目のプレキャストコンクリート梁の一方の接合端部に挿通した緊張鋼材を介して緊張定着させ、更に１番目のプレキャストコンクリート梁は、
その内部と、
挿通した
は
跨がって他方の接合端部から一方の接合端部に配設緊張される２本の
　請求項２の発明が、梁受け用顎を突設したプレキャストコンクリート柱を適宜間隔をもって直線状に多数立設し、これらのプレキャストコンクリート柱間で且つ梁受け用顎に端部を載せて予めプレストレスが付与されたプレキャストコンクリート梁をそれぞれ架設し、各プレキャストコンクリート梁をその両端部寄りの一つの側面で緊張鋼材により緊張定着する建物の構築工法であって、各プレキャストコンクリート梁を緊張鋼材により緊張定着するに
あたって、
の
２番目と３番目の
それぞれ
１
梁の他方の接合端部
３
２
のプレキャストコンクリート梁
他方の接合端部から
　　　【０００７】
　　【作用】
　而して、上記のように各プレキャストコンクリート柱の梁受け用顎間に架設されたプレキャストコンクリート梁を１スパン又は複数スパンごとに緊張材で順次緊張接合することにより、プレストレス導入における不静定２次応力を小さくすることができるので多スパンの建物の構築を可能とする。また、１スパンまたは複数スパンごとに順次緊張接合してラーメン構造を構築していくことから施工中の風力や地震力等の水平力に対して安全性を飛躍的に高めることができた。
　　　【０００８】
　　【実施例】
　以下、本発明のプレキャストコンクリート部材による建物の構築工法の一実施例を図面に基づいて詳細に説明する。
　図１は第１発明における建物の構築工法を示した概念図であり、基礎コンクリート６上に梁受け用顎１ａが突設されたプレキャストコンクリート柱１（以下単に柱という）を多数立設し、これら柱１の間にそれぞれプレキャストコンクリート梁を架設する。即ち、端部に位置する柱１と２番目に位置する柱との間に１番目のプレキャストコンクリート梁２（以下第１プレキャストコンクリート梁という）を、２番目と３番目の柱との間に２番目のプレキャストコンクリート梁３（以下第２プレキャストコンクリート梁という、３番目以降も同様にいう）を順次架設するようにする。そして、架設する複数のプレキャストコンクリート梁において、端部に位置する１番目の柱側に向いている端部を一方の接合端部と称し、その反対側の端部を他方の接合端部と称して説明する。
　　　【０００９】
　この柱１は基礎コンクリート６上の台座ブロック７に鋼棒７ａで一体的に固定され、かつ予め挿通されたＰＣ鋼棒６ａでプレストレスが付与されて柱１、台座ブロック７、基礎コンクリート６と一体化された構成となっている。また、この柱１には緊張鋼材用の挿通孔１ｂが貫通されている。
　　　【００１０】
　前記第１及び第２プレキャストコンクリート梁２、３は、一次緊張鋼材２ａ、３ａにより予めプレストレスが付与され、接合端部の上下には上面に貫通する挿通孔２ｂを備えている。
　　　【００１１】
　次に、図２に示すように、第１プレキャストコンクリート梁２の一方の接合端部における挿通孔２ｂと柱１の挿通孔１ｂとにわたって緊張鋼材８を貫入し、これを端部で緊張定着することにより第１プレキャストコンクリート梁２の一方の接合端部のみ接合する。この状態で第１プレキャストコンクリート梁２の他端は軸方向のみ移動できる自由状態となっている。
　　　【００１２】
　次に、図３に示すように、第１プレキャストコンクリート梁２の他方の接合端部における挿通孔２ｂと柱１及び第２プレキャストコンクリート梁３の一方の接合端部における挿通孔３ｂとにわたって緊張鋼材８を貫入し、これを端部で緊張定着することにより第１プレキャストコンクリート梁２の他方の接合端部と第２プレキャストコンクリート梁３の一方の接合端部とを柱１に緊張接合する。この状態で第１プレキャストコンクリート梁２は両柱１に完全に接合されるが、第２プレキャストコンクリート梁３の他端は上記と同様に軸方向のみ移動できる自由状態となっている。
　　　【００１３】
　図４及び図５は、第１プレキャストコンクリート梁２を柱１間に接合し、かつ第２プレキャストコンクリート梁３の一方の接合端部のみを接合した状態を詳しく示した断面図である。
　　　【００１４】
　次に、図６に示すように、さらに２つのプレキャストコンクリート梁９を柱１間に架設して前記と同様の方法によりこれらを順次接合するものである。
　なお、図７に示すように、ＰＣ床板１３はプレキャストコンクリート梁２、３…上面の架設とともにその上に載置するものとする。
　そして、この接合は梁間方向及び桁行方向の接合に用いられるものであり、この接合が終了した後は、前記ＰＣ床板１３上にトップコンクリート１４を打設して梁と一体な合成スラブ１５を形成する。
　そして、前記柱１の上に他の柱を連結して上記と同様の方法でプレキャストコンクリート梁を順次緊張接合することにより多スパンでかつ多層階の建物が構築される。
　　　【００１５】
　図８の（１）〜（３）は第１発明の他の実施例を示すものであり、（１）の場合はプレキャストコンクリート梁２、３が大きな場合の接合方法を示し、接合端部を３本の緊張鋼材８で接合し、（２）の場合はプレキャストコンクリート梁２、３の側面で接合端部を接合している。
　また（３）の場合は、２本の緊張鋼材８を用い、第１プレキャストコンクリート梁２と第２プレキャストコンクリート梁３の一方の接合端部とを同時に接合する方法である。即ち、端部に位置する１番目のプレキャストコンクリート梁は、一方の接合端部を端部に位置する柱１と緊張鋼材８を介して緊張定着すると共に、他方の接合端部は２番目の柱１を介して隣接する２番目のプレキャストコンクリート梁３内を挿通し３番目の柱１及び３番目のプレキャストコンクリート梁の一方の接合端部
まで跨って挿通した
は、その内部と、
に跨って挿通した
両側の柱と
跨って
２本の
各
　　　【００１６】
　次に、図９
〜図１３
これは、上記第１発明と同様に基礎コンクリート６上に、梁受け用顎１ａが突設された柱１を多数立設し、この柱１間に予めプレストレスが付与された第１、第２及び第３のプレキャストコンクリート梁２、３、４を架設する。
　　　【００１７】
　そして、図１０に示すように、第１緊張鋼材１０を、第１及び第２プレキャストコンクリート梁２、３を貫通して第３プレキャストコンクリート梁４の一方の接合端部まで配線して緊張定着することにより、第１及び第２プレキャストコンクリート梁２、３を仮接合するとともに、第３プレキャストコンクリート梁４を他端が軸方向のみ移動できる自由状態に仮接合する。
　　　【００１８】
　この第１緊張鋼材１０は、第１柱１ｃにおける梁受け用顎１ａの上部から第２柱１ｄの梁受け用顎１ａを通って第３柱１ｅにおける梁受け用顎１ａの上部に配線されている。
　　　【００１９】
　次に、図１１に示すように、第２緊張鋼材１１を、第１プレキャストコンクリート梁２を貫通させて第２プレキャストコンクリート梁３の一方の接合端部まで配線して緊張定着することにより、第１プレキャストコンクリート梁２を本接合する。
　　　【００２０】
　そして、図１２に示すように、２本目の第１緊張鋼材１０ａを、前記と同様に第２及び第３プレキャストコンクリート梁３、４を貫通させて第４プレキャストコンクリート梁５の一方の接合端部まで配線して緊張定着することにより、第１及び第２緊張鋼材１０、１０ａ、１１が交差状に配線されて第２プレキャストコンクリート梁２が本接合され、第３プレキャストコンクリート梁４も仮接合されるとともに、第４プレキャストコンクリート梁５が仮接合されて他端が軸方向のみ移動できる自由状態となる。
　　　【００２１】
　このように２スパン単位でプレキャストコンクリート梁２、３を接合すると共に、図１３に示すように、さらに他のプレキャストコンクリート梁１２を柱１間に架設し、かつ２本目の第２緊張鋼材１１ａを配線して緊張することによりこれらを順次接合するものである。
　　　【００２２】
　また、この接合方法も梁間方向及び桁行方向の接合に用いられるものであり、上記と同様に接合完了後はプレキャストコンクリート梁上面にＰＣ床板１３を架設し、さらにその上にトップコンクリート１４を打設して梁と一体な合成スラブ１５を形成する。
　そして、前記柱１の上に他の柱を連結して上記と同様の方法でプレキャストコンクリート梁を順次緊張接合することにより多スパンでかつ多層階の建物が構築される。
　　　【００２３】
　図１４は第２発明の他の実施例を示すものであり、第１及び第２緊張鋼材１０
、
　　　【００２４】
　　【発明の効果】
　予めプレストレスが付与されたプレキャストコンクリート梁が１スパン又は複数スパンごとに緊張定着されることにより、プレストレス導入における不静定２次応力を小さくすることができるので多スパンの建物を容易に構築することができる。
　　　【００２５】
　予めプレストレスが付与されたプレキャストコンクリート梁が１スパン又は複数スパンごとに緊張定着されることにより、最端部の目
地
【図面の簡単な説明】
　　【図１】
　プレキャストコンリート柱間に第１及び第２プレキャストコンリート梁を架設した概念図である。
　　【図２】
　第１プレキャストコンクリート梁の一方の接合端部を緊張定着した概念図である。
　　【図３】
　第１プレキャストコンクリート梁の両接合端部と第２プレキャストコンクリート梁の一方の接合端部を緊張定着した概念図である。
　　【図４】
　第２プレキャストコンクリート梁の両接合端部と第３プレキャストコンクリート梁の一方の接合端部を緊張定着した拡大断面図である。
　　【図５】
　図４の平面図である。
　　【図６】
　第２プレキャストコンクリート梁の両接合端部と第３プレキャストコンクリート梁の一方の接合端部を緊張定着した概念図である。
　　【図７】
　（１）及び（２）は梁の上面にＰＣ床板を載せ、その上にトップコンクリートを打設した合成スラブの断面図である。
　　【図８】
　（１）〜（３）は第１発明の他の実施例を示す概念図である。
　　【図９】
　第２発明においてプレキャストコンクリート柱間に第１及び第２プレキャストコンクリート梁を架設した概念図である。
　　【図１０】
　第１緊張鋼材を緊張定着した概念図である。
　　【図１１】
　第２緊張鋼材を緊張定着した概念図である。
　　【図１２】
　２本目の第１緊張鋼材を緊張定着した概念図である。
　　【図１３】
　２本目の第２緊張鋼材を緊張定着した概念図である。
　　【図１４】
　第２発明の他の実施例を示す概念図である。
　　【図１５】
　従来の建物の構築工法を示す概念図である。
　【符号の説明】
　１　プレキャストコンクリート柱
　１ａ　梁受け用顎
　２　第１プレキャストコンクリート梁
　３　第２プレキャストコンクリート梁
　４　第３プレキャストコンクリート梁
　５　第４プレキャストコンクリート梁
　６　基礎コンクリート
　７　台座ブロック
　８　緊張鋼材
　９　プレキャストコンクリート梁
　１０　第１緊張鋼材
　１１　第２緊張鋼材